(57)【要約】  検体の分析に用いる試薬を収容した複数の試薬容器が搭載される試薬ディスクと、試薬ディスクへの外部からの試薬の搭載および外部への試薬の搬出を行う試薬ローダと、試薬ディスクに配置された複数の試薬容器の試薬と、その試薬を用いる分析項目とを一対で表示する表示部と、オペレータからの操作の入力に用いられる操作装置により表示部で選択され、試薬ローダによる取り出しを指示された試薬と、その試薬の分析項目と同時に実行すべき他の分析項目に使用される試薬とを試薬ローダにより同時に試薬ディスクの外部に搬出する制御部とを備える。これにより、試薬の取り出し時や搭載時における試薬の取り違えや搭載忘れを抑制することができる。
2017033576.tif 000002
【特許請求の範囲】
【請求項１】
検体の分析に用いる試薬を収容した複数の試薬容器が搭載される試薬ディスクと、
前記検体と試薬とを反応させる複数の反応容器が配置されたインキュベータと、
前記インキュベータに配置された前記反応容器に前記検体を分注するサンプル分注機構と、
前記試薬ディスクに搭載された前記試薬容器に収容された試薬を前記インキュベータに搭載された前記反応容器に分注する試薬分注機構と、
前記試薬ディスクへの外部からの試薬の搭載および外部への試薬の搬出を行う試薬ローダと、
前記試薬ディスクに配置された複数の試薬容器の試薬と、その試薬を用いる分析項目とを一対で表示する表示部と、
オペレータからの操作の入力に用いられる操作装置により前記表示部で選択され、前記試薬ローダによる取り出しを指示された試薬と、その試薬の分析項目と同時に実行すべき他の分析項目に使用される試薬とを前記試薬ローダにより同時に試薬ディスクの外部に搬出する制御部と
を備えたことを特徴とする自動分析装置。
【請求項２】
請求項１記載の自動分析装置において、
前記制御部は、オペレータからの操作の入力に用いられる操作装置により前記表示部で選択された試薬と、その試薬の分析項目と同時に実行すべき他の分析項目に使用される試薬とを、他の試薬と分析項目の対と識別して表示させることを特徴とする自動分析装置。
【請求項３】
請求項２記載の自動分析装置において、
前記表示部は、前記試薬ディスクの試薬容器位置番号と、前記試薬容器位置番号に位置する試薬容器の試薬を特定するための識別番号と、前記試薬容器に収容された試薬の残量および有効期限と、試薬容器内の試薬が使用される分析項目名と、を一対で表示することを特徴とする自動分析装置。
【請求項４】
請求項２記載の自動分析装置において、
前記表示部は、前記試薬の名称、試薬識別情報、残量、有効期限、キャリブレーション結果、キャリブレーションの有効期限、試薬容器位置番号、及び装置搭載有無情報を一対で表示することを特徴とする自動分析装置。
【請求項５】
請求項２記載の自動分析装置において、
前記試薬の識別情報を蓄積した試薬識別情報ファイルを記憶する記憶部を備えたことを特徴とする自動分析装置。
【請求項６】
請求項２に記載の自動分析装置において、
表示部は、分析に使用するために登録された全ての試薬の情報を表示する状態と、前記試薬ディスクに配列されている試薬のみの情報を表示する状態とを切り換える切換ボタンを表示することを特徴とする自動分析装置。
【請求項７】
請求項２記載の自動分析装置において、
前記表示部は、前記試薬ディスクに搭載されている試薬と同じ試薬識別番号を持つ試薬が前記試薬ローダ外にいくつ収納されているかを表示部に表示させる表示ボタンを表示することを特徴とする自動分析装置。
【請求項８】
検体の分析に用いる試薬を収容した複数の試薬容器が搭載される試薬ディスクと、
前記検体と試薬とを反応させる複数の反応容器が配置されたインキュベータと、
前記インキュベータに配置された前記反応容器に前記検体を分注するサンプル分注機構と、
前記試薬ディスクに搭載された前記試薬容器に収容された試薬を前記インキュベータに搭載された前記反応容器に分注する試薬分注機構と、
前記試薬ディスクへの外部からの試薬の搭載および外部への試薬の搬出を行う試薬ローダと、
前記試薬ディスクに配置された複数の試薬容器の試薬と、その試薬を用いる分析項目とを一対で表示する表示部と、
オペレータからの操作の入力に用いられる操作装置により前記表示部で選択された試薬と、その試薬の分析項目と同時に実行すべき他の分析項目に使用される試薬とを、他の試薬及び分析項目と識別して表示させる制御部と
を備えたことを特徴とする自動分析装置。
【発明の詳細な説明】
【技術分野】
【０００１】
本発明は、血液や尿などの生体サンプルの定性・定量分析を行う自動分析装置に関する。
【背景技術】
【０００２】
血液や尿等の生体サンプル（以下、検体と称する）に含まれる特定成分の定量・定性分析を行う自動分析装置においては、検体の分析に用いる複数の種類の試薬を予め搭載し、分析項目に合わせて試薬を切り換えている。【０００３】
一方で自動分析装置に搭載できる試薬の数には限りがある。したがって、自動分析装置では、搭載されている試薬のうち、すぐには使用しない試薬を一端装置から取り出して別に準備された保冷庫等に保管しておき、保冷庫等に保管しておいたその試薬を使用する際に改めて自動分析装置に搭載しなおすという運用が一般的である。【０００４】
このような試薬の管理に関するものとして、例えば、特許文献１（特開２０１０−２８１８４５号公報）には、試薬キットが使用される測定項目および試薬キットの使用期限を含む識別情報が付された試薬キットを保持可能な試薬ホルダーと、表示部とを備え、試薬ホルダーに保持された試薬キットから識別情報を取得するとともにその試薬キットの試薬開封後有効期限を設定し、識別情報に含まれる使用期限および設定された試薬開封後有効期限のうち早く期限の来る方を有効期限として、識別情報に含まれる測定項目とともに表示部に表示させる技術が開示されている。
【先行技術文献】
【特許文献】
【０００５】
【特許文献１】特開２０１０−２８１８４５号公報
【発明の概要】
【発明が解決しようとする課題】
【０００６】
ところで、分析項目については、同時に分析すべき複数の分析項目の組合せ（セット項目）の分析結果から１つの分析結果が得られるような分析項目があり、自動分析装置への分析項目の依頼時にセット項目を自動或いは手動で依頼できることが期待できる。【０００７】
しかしながら、自動分析装置においては、分析項目の測定に必要な試薬や分析パラメータが揃っていないと依頼を実施しても測定を開始することができないため、例えば、試薬の取り出し時や搭載時において、セット項目に使用される試薬の組合せ（試薬セット）のうちのいくつかを意図せずに自動分析装置から取り出してしまった場合、或いは、試薬セットの試薬のうちのいくつかの試薬の搭載忘れ、取り違いがおきた場合などは、測定の開始ができないことが考えられる。このような場合には、再度、試薬セットを構成する全ての試薬を搭載しなおして登録し、同じ依頼を再度実施しなければならなかった。【０００８】
本発明は上記に鑑みてなされたものであり、試薬の取り出し時や搭載時における試薬の取り違えや搭載忘れを抑制することができる自動分析装置を提供することを目的とする。
【課題を解決するための手段】
【０００９】
上記目的を達成するために、本発明は、検体の分析に用いる試薬を収容した複数の試薬容器が搭載される試薬ディスクと、前記検体と試薬とを反応させる複数の反応容器が配置されたインキュベータと、前記インキュベータに配置された前記反応容器に前記検体を分注するサンプル分注機構と、前記試薬ディスクに搭載された前記試薬容器に収容された試薬を前記インキュベータに搭載された前記反応容器に分注する試薬分注機構と、前記試薬ディスクへの外部からの試薬の搭載および外部への試薬の搬出を行う試薬ローダと、前記試薬ディスクに配置された複数の試薬容器の試薬と、その試薬を用いる分析項目とを一対で表示する表示部と、オペレータからの操作の入力に用いられる操作装置により前記表示部で選択され、前記試薬ローダによる取り出しを指示された試薬と、その試薬の分析項目と同時に実行すべき他の分析項目に使用される試薬とを前記試薬ローダにより同時に試薬ディスクの外部に搬出する制御部とを備えたものとする。
【発明の効果】
【００１０】
本発明によれば、試薬の取り出し時や搭載時における試薬の取り違えや搭載忘れを抑制することができる。
【図面の簡単な説明】
【００１１】
【図１】第１の実施の形態に係る自動分析装置の全体構成を概略的に示す図である。
【図２】試薬ディスクを試薬ローダとともに抜き出して示す図である。
【図３】試薬コンテナの詳細を説明する図である。
【図４】試薬セットの構成を示す図である。
【図５】他の試薬セットの構成を示す図である。
【図６】表示部に表示される操作画面のうち試薬情報設定画面を示す図である。
【図７】試薬セット情報画面を示す図であり、装置搭載有無切換ボタンがチェックされていない場合を示す図である。
【図８】試薬セット情報画面を示す図であり、装置搭載有無切換ボタンがチェックされている場合を示す図である。
【図９】試薬セット情報画面を示す図であり、図８において未搭載試薬が有る場合を示す図である。
【図１０】試薬セットボタンが押下されたときの処理内容を示すフローチャートである。
【図１１】確認画面を示す図である。
【図１２】エラー画面を示す図である。
【図１３】第１の実施の形態の変形例に係る自動分析装置の全体構成を概略的に示す図である。
【図１４】試薬セット画面とともに表示される在庫画面を示す図である。
【図１５】第２の実施の形態において試薬取り出しボタンが押下されたときの処理内容を示すフローチャートである。
【図１６】第３の実施の形態における試薬情報設定画面を示す図である。
【発明を実施するための形態】
【００１２】
本発明の実施の形態を図面を参照しつつ説明する。
【００１３】
＜第１の実施の形態＞
本発明の第１の実施の形態を図１〜図１４を参照しつつ詳細に説明する。
【００１４】
図１は、本実施の形態に係る自動分析装置の全体構成を概略的に示す図である。
【００１５】
図１において、自動分析装置１０１は、ラック搬送ライン１０２、サンプル容器ラック１０４、試薬ディスク１０６、試薬ローダ１０７、インキュベータディスク１１１、サンプル分注ノズル１１２、試薬分注ノズル１０９、反応容器・サンプル分注チップ収納部１１８、交換・補充用の反応容器・サンプル分注チップ収納部１１９、反応容器攪拌機構１１６、廃棄孔１１５、搬送機構１１３、ノズル１２１、検出ユニット１２０、制御部１２２、表示部１２３、入力部１２４、及び記憶部１２５等から概略構成されている。
【００１６】
ラック搬送ライン１０２は、血液や尿などの生体サンプル（以下、検体と称する）を収容した１つ以上（本実施の形態では５つ）のサンプル容器１０３を搭載するサンプル容器ラック１０４を搬送する。
【００１７】
試薬ディスク１０６は、検体の分析に用いるための種々の試薬が収容された試薬コンテナ１０５を収納する内部と、その外部とを隔てる試薬ディスクカバー１０８により覆われている。なお、試薬ディスク１０６は、周方向に試薬コンテナ１０５を並べて配置するディスク方式に限定されるものではなく、試薬コンテナ１０５を一列以上の列に配置したシリアル方式を用いても良い。
【００１８】
試薬ローダ１０７は、試薬ディスク１０６の内周部に設けられており、試薬コンテナ１０５を試薬ディスク１０６の外部から内部へ搬送して設置する搭載処理を実施するとともに、試薬コンテナ１０５を試薬ディスク１０６の内部から外部へ搬出する搬出処理を実施する。
【００１９】
インキュベータディスク１１１は、検体と試薬とを混合させて反応させるための複数の反応容器１１０を備えている。サンプル分注ノズル１１２は、回転駆動および上下駆動可能に設けられており、サンプル容器１０３に収容された検体を吸引および吐出することにより、サンプル容器１０３からインキュベータディスク１１１の反応容器１１０に検体を分注する。また、試薬分注ノズル１０９は、回転駆動および上下駆動可能に設けられており、試薬ディスクカバー１０８に設けられた試薬ディスクカバー開口部１０８ａを介して試薬コンテナ１０５からインキュベータディスク１１１の反応容器１１０に試薬を分注する。反応容器攪拌機構１１６は、反応容器１１０に収容された検体と試薬との混合液（反応液）を攪拌する。
【００２０】
反応容器・サンプル分注チップ収納部１１８には、未使用である複数の反応容器１１０およびサンプル分注チップ１１２ａが収納されている。また、反応容器・サンプル分注チップ収納部１１９には、反応容器・サンプル分注チップ収納部１１８に対する交換・補充用の未使用の反応容器１１０およびサンプル分注チップ１１２ａが収納されている。
【００２１】
搬送機構１１３は、Ｘ軸、Ｙ軸、Ｚ軸方向に移動可能に設けられており、サンプル分注チップ１１２ａ及び反応容器１１０を把持して搬送するものである。インキュベータディスク１１１の使用済みの反応容器１１０は、搬送機構１１３によって廃棄孔１１５に破棄し、反応容器・サンプル分注チップ収納部１１８に収納された未使用の反応容器１１０をインキュベータディスク１１１に搬送して搭載する。また、未使用のサンプル分注チップ１１２ａは、チップ装着位置１１７に搬送され、サンプル分注ノズル１１２に装着される。なお、使用済みのサンプル分注チップ１１２ａは、廃棄孔１１５に直接廃棄される。
【００２２】
ノズル１２１は、回転駆動および上下駆動に設けられており、インキュベータディスク１１１の反応容器１１０で混合された反応液を吸引して検出ユニット１２０に送る。検出ユニット１２０は、ノズル１２１で吸引されて送られた反応液に検出処理を施し特定成分の検出を行う。
【００２３】
制御部１２２は、自動分析装置１０１の全体の動作を制御するものであり、表示部１２３、入力部１２４、および記憶部１２５を備えている。
【００２４】
入力部１２４は、オペレータによる各種情報の入力や操作指示を入力するためのものであり、例えば、マウスやキーボード等である。
【００２５】
表示部１２３は、各種設定画面や操作画面、各種情報、分析結果等を表示するものであり、グラフィックユーザインタフェース（ＧＵＩ）として入力部１２４により操作することができる。
【００２６】
記憶部１２５は、各種設定や試薬情報、分析結果等を記憶するものであり、例えば、試薬コンテナ１０５に収容される試薬の情報を示す試薬情報などが記憶されている。
【００２７】
図２は、試薬ディスクを試薬ローダとともに抜き出して示す図である。また、図３は、試薬コンテナの詳細を説明する図である。なお、図２においては、説明のために試薬ディスクカバー１０８を省略して示している。
【００２８】
図３に示すように、試薬コンテナ１０５は、検体の分析に用いる試薬を収容する複数（例えば、本実施の形態では３つ）の試薬容器１０５ａ〜１０５ｃから構成されている。試薬コンテナ１０５は、例えば、ある分析項目に用いる１組の分析用の試薬を試薬容器１０５ａ〜１０５ｃに収容するもの、希釈液を試薬容器１０５ａ〜１０５ｃに収容するもの、装置状態確認用の試薬を試薬容器１０５ａ〜１０５ｃに収容するものなどに分類される。試薬コンテナ１０５には、個体識別標識１２６が設けられている。個体識別標識１２６は、例えば、バーコードラベルや、ＲＦＩＤラベルなどである。個体識別標識１２６に記録される識別情報には、試薬コンテナ１０５に収容された試薬を識別するための試薬識別番号（試薬識別コード）、対応する分析項目名、ロット番号、およびシーケンス番号等が含まれている。
【００２９】
図２において、試薬ディスク１０６には、複数の試薬コンテナ１０５が搭載されており、その内周部（試薬ディスク１０６の中心付近）には、試薬ローダ１０７が配置されている。試薬ローダ１０７は、試薬コンテナ１０５を挿入するための複数（例えば、本実施の形態では５つ）のスロット１０７ａを有している。試薬ローダ１０７は、鉛直方向に移動することにより、試薬ディスクカバー１０８に隔てられた試薬ディスクの外部と内部との間で試薬コンテナ１０５の搬入、及び搬出を行う。また、試薬ディスク１０６には、試薬コンテナ１０５に設けられた個体識別標識１２６を読み取って制御部１２２に送る読取装置１０７ｂが設けられている。
【００３０】
図４は、試薬セットの構成を示す図である。
【００３１】
図４において、試薬セット２０１は、同時に分析すべき複数の分析項目の組合せ（セット項目）の分析結果から１つの分析結果が得られるような分析項目に使用される試薬の組合せであり、複数（例えば、本実施の形態では３つ）の試薬コンテナ２０１ａ〜２０１ｃが収納されている。ここでは、試薬コンテナ２０１ａと、試薬コンテナ２０１ａの試薬の分析項目と同時に実行すべき分析項目に使用される他の試薬コンテナ２０１ｂ〜２０１ｃとが関連付けられて収納されている場合を示している。
【００３２】
なお、図５に示すように、試薬セット２０２は、分析項目に対する試薬コンテナ２０２ａから構成されている。試薬コンテナ２０２ａが複数個で１つの試薬セット２０２となって供給される。
【００３３】
図６は、表示部に表示される操作画面のうち試薬情報設定画面を示す図である。
【００３４】
図６に示すように、試薬情報設定画面３０１には、自動分析装置１０１に割り当てられたモジュール名を選択するモジュール選択部３０５と、選択されたモジュールにおける試薬ディスク１０６上の全ての試薬コンテナ１０５の情報がポジション順に一覧表示される試薬情報表示部３０６と、試薬情報表示部３０６において一画面で一度に表示しきれない試薬情報をスライド表示させるスクロールバー３０２と、試薬準備ボタン３０７と、試薬セット情報画面４０１Ａ，４０１Ｂ，４０１Ｃ（後の図７〜図９を参照）を表示させる試薬セットボタン３０４と、試薬コンテナ１０５を試薬ローダ１０７を用いて搬出させる試薬取り出しボタン３０３とを備えている。
【００３５】
図７〜図９は、試薬セット情報画面を示す図であり、図７は装置搭載有無切換ボタンがチェックされていない場合、図８は装置搭載有無切換ボタンがチェックされている場合、図９は図８において未搭載試薬が有る場合をそれぞれ示す図である。
【００３６】
図７に示すように、試薬セット情報画面４０１Ａでは、試薬セット２０１の情報を、装置搭載有無切替ボタン４０５ａのチェックに従い、記憶部１２５に記憶されている情報から、残量がある試薬を対象として、試薬セット情報一覧表４０２ａに表示する。
【００３７】
試薬セット情報画面４０１Ａは、試薬セット２０１の一覧を、試薬セット情報一覧表４０２ａに表示する。試薬セット情報一覧表４０２ａには、装置搭載有無４０３、試薬名称４０４、試薬の識別情報４０６、試薬の残量４０７、試薬の有効期限４０８、キャリブレーション結果とキャリブレーションの有効期限４１０、試薬の装置上のポジション４１１を表示する。
【００３８】
試薬セット情報一覧表４０２ａに表示の試薬は、装置搭載有無４０３の情報が、試薬セット２０１を構成する試薬コンテナ２０１ａ〜２０１ｃに対して、すべて装置搭載済の場合、試薬状況４０９ａにＣｏｍｐｌｅｔｅを表示する。
【００３９】
試薬セット情報一覧表４０２ａは、試薬セット２０１と同じ分析項目に対して複数の試薬セット２０１を表示する。ユーザーは、試薬の残量４０７、試薬の有効期限４０８、キャリブレーション結果とキャリブレーションの有効期限４１０の情報から、測定予定検体数から、装置搭載有無４０３にチェックのある装置搭載済試薬を使用するか、記憶部１２５の情報から表示している保冷庫に保管してある試薬を使用するか、を選択することができる。
【００４０】
図８に示すように、試薬セット情報画面４０１Ｂは、装置搭載有無切替ボタン４０５ａが押下された状態（装置搭載有無切替ボタン４０５ｂと称する）であり、表示対象試薬を試薬セット２０１のうち、試薬コンテナ２０１ａ〜２０１ｃの中から１つでも装置に搭載されている試薬セット２０１の情報を試薬セット情報一覧表４０２ｂに表示する。
【００４１】
試薬コンテナ１０５を試薬ディスク１０６から搬出時に、試薬情報設定画面３０１の試薬取り出しボタン３０３を押下すると、選択している試薬コンテナ１０５のみが搬出対象試薬となる。複数選択することも可能だが、試薬セット２０１の場合は、試薬コンテナ２０１ａ〜２０１ｃとあり、画面上で検索しなくてはならない。また、装置搭載試薬が増えることで、１画面に表示しきれない場合、スクロールバー３０２でスクロールする必要があり、選択漏れが発生しやすい。対して、試薬セット情報画面４０１Ｂでは、試薬セット単位で表示選択が可能となり、試薬取り出しボタン４１２を試薬セット２０１の単位で、試薬ローダ１０７から搬出可能となる。
【００４２】
試薬ディスク１０６の保冷能力が向上し、装置上で保冷できる場合でも、日々測定項目が異なり、試薬ディスク１０６に搭載できる試薬コンテナ１０５の数は限られる。そのために入れ替え作業が発生する場合や、長期休暇などで、装置の電源を落とし、保冷庫に試薬コンテナ１０５を集約することで電気の節約するために、試薬取り出しボタン４１２を押下して装置から試薬セット２０１の単位で取り出すことが想定される。
【００４３】
図９に示すように、試薬セット情報画面４０１Ｃでは、試薬セット２０１を試薬セット情報一覧表４０２ｃに表示しているが、試薬セット２０１の構成のうち装置未搭載試薬が、装置搭載有無４０３の情報が空白表示となる。
【００４４】
試薬セット情報一覧表４０２ｃの装置搭載有無４０３の情報が空白表示の場合は、試薬セット２０１を構成する試薬コンテナ２０１ａ〜２０１ｃのいずれかの試薬が装置未搭載となっており、試薬状況４０９ｂはＩｎｃｏｍｐｌｅｔｅと表示する。
【００４５】
新規試薬の供給は、試薬コンテナ２０１ａ〜２０１ｃがまとまった試薬セット２０１の状態で供給される。そのため、通常では、試薬セット２０１の１つだけ装置搭載漏れが発生する頻度は少ない。しかし、試薬セット２０１が、保冷庫に複数セットある場合は、試薬の取り違えで、間違った組み合わせで装置に搭載してしまうことがある。その場合、試薬セット情報画面４０１の試薬状況４０９ｂを確認することで、Ｉｎｃｏｍｐｌｅｔｅの場合には、試薬セット情報一覧表４０２ｃを確認することで、装置搭載有無４０３が空白表示の試薬コンテナ２０１ａ〜２０１ｃが装置に未搭載と確認できる。
【００４６】
なお、上記の例は、小規模の病院や検査施設に対しての試薬の供給例であるが、大規模の病院や検査施設では、分析数や項目数が多く試薬の使用量が多いために、試薬セット２０１のように供給するのではなく、同じ試薬コンテナ２０２ａで試薬セット２０２のように供給することがある。そのような場合には、試薬の数が多くなるために、試薬取り違えが発生しやすくなり、間違った試薬を装置に搭載する可能性が考えられるため、装置に搭載したことがある試薬を試薬セット情報一覧表４０２ａに表示する。
【００４７】
図１０は、試薬セットボタンが押下されたときの処理内容を示すフローチャートである。
【００４８】
図１０において、試薬セットボタン３０４が押下されると、制御部１２２は、試薬セット情報画面を構成する表示情報として、試薬残量が有る試薬セットの情報を、記憶部１２５から取得する（ステップＳ５０１）。続いて、試薬セット情報画面の装置搭載有無切替ボタンにチェックがあるかどうかを判定し（ステップＳ５０２）、判定結果がＹＥＳの場合には、試薬ディスク１０６に搭載済みの試薬の試薬情報のみ（試薬セット情報画面４０１Ｂ）を表示し（ステップＳ５０３）、ステップＳ５０４に進む。また、ステップＳ５０１において、試薬セット情報画面の装置搭載有無切替ボタンにチェックが無い場合は、登録済みの全ての試薬の試薬情報（試薬セット情報画面４０１Ａ）を表示し、ステップＳ５０４に進む。
【００４９】
続いて、ステップＳ５０４において、試薬セット情報一覧表４０２ａに表示する試薬セットの初期選択行の試薬セットの試薬状況は完全であるかどうかを判定し（ステップＳ５０４）、判定結果がＹＥＳの場合には、試薬状況４０９ａのように試薬状況をＣｏｍｐｌｅｔｅとし（ステップＳ５０５）、判定結果がＮＯの場合には、試薬状況４０９ｂのように試薬状況をＩｎｃｏｍｐｌｅｔｅとする（ステップＳ５０６）。ステップＳ５０５，Ｓ５０６での処理が終了したら、試薬セット情報一覧表４０２ａ〜４０２ｃ、装置搭載有無切替ボタン４０５ａ〜４０５ｂ、試薬状況４０９ａ〜４０９ｂに分析項目の試薬と、同時に実行すべき分析項目に使用される他の試薬とを関連付けた試薬の試薬セット情報として表示し、初期選択行となる試薬セットを選択していることがわかるように強調表示する（ステップＳ５０７）。
【００５０】
図１１は、確認画面を示す図である。
【００５１】
図１１において、確認画面６０１は、図７〜図９の試薬取り出しボタン４１２を押下したときに、すでに試薬ローダ１０７に搬出対象の試薬コンテナ１０５が搭載されている場合に表示されるものである。発生条件としては、例えば、分析中に試薬の残量がなくなった場合などがあてはまる。試薬取り出しボタン４１２が押下された場合には、試薬セット情報一覧表４０２ａで選択した試薬セット２０１が、試薬ローダ１０７による取り出し対象となる。
【００５２】
ユーザーは、確認画面６０１が表示されたときには、ＯＫボタン６０２か、Ｃａｎｃｅｌボタン６０３を選択して押下することができる。ＯＫボタン６０２を選択したときには、試薬ローダ１０７に搬出予約された試薬コンテナ１０５と、一緒に試薬セット情報一覧表４０２ａで選択した試薬セット２０１が混合で、試薬ローダ１０７から搬出される。
【００５３】
なお、ＯＫボタン６０２を押下した場合には、搬出予約された試薬コンテナ１０５と、一緒に試薬セット情報一覧表４０２ａで選択した試薬セットの試薬コンテナ１０５が混合で、試薬ローダ１０７から搬出されるため、保冷庫に収納するときに注意が必要であることをオペレータが認識して試薬コンテナ１０５を取り扱うことができる。
【００５４】
また、Ｃａｎｃｅｌボタン６０３を押下した場合には、試薬セット情報一覧表４０２ａで選択した試薬セット２０１の搬出を取りやめて、ユーザーがすでに搬出予約された試薬コンテナ１０５を搬出することができる状態とする。試薬ローダ１０７に試薬コンテナ１０５が搭載されていない状態で再度試薬取り出しボタン４１２を押下して、試薬セット２０１を搬出する。試薬セット２０１単位で、保冷庫に収納することが可能となる。
【００５５】
図１２は、エラー画面を示す図である。
【００５６】
図１２において、確認画面７０１は、図７〜図９の試薬取り出しボタン４１２を押下したときに、試薬を搬出する試薬ローダ１０７に自動で搬出予約された試薬コンテナ１０５が搭載されている場合であって、試薬セット情報一覧表４０２ａで選択した試薬セットと合わせると試薬ローダ１０７の搭載可能個数を上回る場合に表示されるものである。
【００５７】
図１２では、ＯＫボタン７０２を押下し、試薬セット情報一覧表４０２ａで選択した試薬セット２０１の搬出を取りやめて、ユーザーが既に搬出予約された試薬コンテナ１０５を取り出すことができる状態とする。試薬ローダ１０７に試薬コンテナ１０５が搭載されていない状態で再度試薬取り出しボタン４１２を押下して、試薬セット２０１を搬出する。
【００５８】
以上のように構成した本実施の形態の効果を説明する。
【００５９】
自動分析装置における分析項目については、同時に分析すべき複数の分析項目の組合せ（セット項目）の分析結果から１つの分析結果が得られるような分析項目があり、自動分析装置への分析項目の依頼時にセット項目を自動或いは手動で依頼できることが期待できる。しかしながら、自動分析装置においては、分析項目の測定に必要な試薬や分析パラメータが揃っていないと依頼を実施しても測定を開始することができないため、例えば、試薬の取り出し時や搭載時において、セット項目に使用される試薬の組合せ（試薬セット）のうちのいくつかを意図せずに自動分析装置から取り出してしまった場合、或いは、試薬セットの試薬のうちのいくつかの試薬の搭載忘れ、取り違いがおきた場合などは、測定の開始ができないことが考えられる。このような場合には、再度、試薬セットを構成する全ての試薬を搭載しなおして登録し、同じ依頼を再度実施しなければならなかった。
【００６０】
これに対して本実施の形態においては、検体の分析に用いる試薬を収容した複数の試薬容器が搭載される試薬ディスクと、検体と試薬とを反応させる複数の反応容器が配置されたインキュベータと、インキュベータに配置された反応容器に検体を分注するサンプル分注機構と、試薬ディスクに搭載された試薬容器に収容された試薬をインキュベータに搭載された反応容器に分注する試薬分注機構と、試薬ディスクへの外部からの試薬の搭載および外部への試薬の搬出を行う試薬ローダと、試薬ディスクに配置された複数の試薬容器の試薬と、その試薬を用いる分析項目とを一対で表示する表示部と、オペレータからの操作の入力に用いられる操作装置により表示部で選択され、試薬ローダによる取り出しを指示された試薬と、その試薬の分析項目と同時に実行すべき他の分析項目に使用される試薬とを試薬ローダにより同時に試薬ディスクの外部に搬出するように構成したので、試薬の取り出し時や搭載時における試薬の取り違えや搭載忘れを抑制することができる。
【００６１】
すなわち、試薬セット２０１の装置搭載有無情報を試薬セット情報一覧表４０２ａから確認することができるので、確認結果より、ユーザーは当日の検体測定数と試薬の残量４０７、試薬の有効期限４０８、キャリブレーション結果とキャリブレーションの有効期限４１０から、保冷庫８０１から装置に搭載する試薬セット２０１を選択することが可能となる。また、保冷庫８０１に複数の試薬セット２０１があり取り違えた場合でも、試薬セット情報一覧表４０２ｃと試薬状況４０９ｂから、装置未搭載の不足している試薬コンテナ２０１ａ〜２０１ｃを特定することが可能となる。また、試薬セット情報一覧表４０２ａで選択している試薬セット２０１に対して、試薬取り出しボタン４１２を押下することで、試薬セット単位で、試薬ローダ１０７から搬出することを可能とし、保冷庫８０１に収納するときにまとめて実施でき、試薬セットの試薬が分散しないようになる。
【００６２】
したがって、要求された分析項目の試薬と、同時に実行すべき分析項目に使用される他の試薬とを関連付けた試薬の一覧表を可視化し、使用試薬の最適化、試薬の取り違えの防止、装置搭載漏れの防止、保冷庫に収納時の分散の防止し、ユーザーの労力を低減可能な自動分析装置を実現することができる。
【００６３】
＜第１の実施の形態の変形例＞
第１の実施の形態の変形例を図１３及び図１４を参照しつつ説明する。
【００６４】
本変形例は、制御部と試薬の保冷庫と保冷庫記憶部とを関連付けた場合を示すものである。
【００６５】
図１３は、本変形例に係る自動分析装置の全体構成を概略的に示す図である。図中、第１の実施の形態と同様の部材には同じ符号を付し、説明を省略する。
【００６６】
図１３において、保冷庫８０１は、試薬を保管しておくための収納庫で、試薬の管理を実施するために、保冷庫８０１の試薬情報は、保冷庫記憶部８０２に記憶する。
【００６７】
制御部１２２と保冷庫記憶部８０２の接続方式は、有線方式または無線方式でも接続可能とする。接続により、記憶部１２５の試薬情報であるロット番号と保冷庫記憶部８０２に保管してある試薬情報のロット番号が同じ試薬が、保冷庫８０１にいくつ残っているかが確認できる。
【００６８】
図１４は、試薬セット画面とともに表示される在庫画面を示す図である。
【００６９】
図１４に示すように、試薬セット情報画面４０１の在庫ボタン４１３を押下すると在庫画面９０１が表示される。在庫画面９０１は、試薬セット情報一覧表４０２ａで選択している試薬セットと同じ試薬セットが、保冷庫８０１にいくつあるかを表示する画面である。
【００７０】
在庫画面９０１は、試薬セット名称９０２と在庫数９０３を表示する画面である。在庫数９０３は、保冷庫８０１にある試薬個数を保冷庫記憶部８０２から取得して、画面に表示する。図１４の例では、保冷庫８０１に試薬が３セット保管されていることを表す。
【００７１】
その他の構成は第１の実施の形態と同様である。
【００７２】
以上のように構成した本変形例においても第１の実施の形態と同様の効果を得ることができる。
【００７３】
＜第２の実施の形態＞
本発明の第２の実施の形態を図１５を参照しつつ説明する。
【００７４】
本実施の形態は、試薬ローダの試薬コンテナの搭載可能数が１つである構成の場合を示すものである。
【００７５】
図１５は、本実施の形態おいて試薬取り出しボタンが押下されたときの処理内容を示すフローチャートである。図中、第１の実施の形態と同様の部材には同じ符号を付し、説明を省略する。
【００７６】
図１５において、試薬取り出しボタン４１２（図７〜図９参照）が押下されると、制御部１２２は、試薬セット情報一覧表４０２ａで選択した試薬セットのＮ本目（１回目は１本目）の試薬コンテナ１０５を試薬ディスク１０６から試薬ローダ１０７が搬出する（ステップＳ１００１）。続いて、ステップＳ１００１で搬出された試薬コンテナ１０５を、ユーザーが試薬ローダから取り出す（ステップＳ１００２）。次に、ステップＳ１００２で取り出された試薬コンテナ１０５の装置搭載有無４０３の情報を更新する（ステップＳ１００３）。そして、選択した試薬セットの試薬コンテナ１０５がないかどうかを判定し（ステップＳ１００４）、判定結果がＹＥＳの場合は処理を終了する。また、ステップＳ１００４での判定結果がＮＯの場合は、次の試薬コンテナ１０５を取り出すためにステップＳ１００１に戻る。
【００７７】
その他の構成は第１の実施の形態と同様である。
【００７８】
以上のように構成した本実施の形態においても第１の実施の形態と同様の効果を得ることができる。
【００７９】
＜第３の実施の形態＞
本発明の第３の実施の形態を図１６を参照しつつ説明する。
【００８０】
本実施の形態は、試薬情報設定画面において試薬セットを識別できるように構成したものである。
【００８１】
図１６は、本実施の形態における試薬情報設定画面を示す図である。図中、第１の実施の形態と同様の構成には同じ符号を付し、説明を省略する。
【００８２】
図１６に示すように、試薬情報設定画面３０１Ａでは、例えば、試薬ポジション１１０１の４番目の試薬情報を選択したときに、選択行の背景色が変化する。さらに、試薬ポジション１１０１の４番目の試薬情報と試薬セットの関係にある試薬情報として、試薬ポジション１１０１の５番目と８番目が関連付け表示線１１０２で結ばれて表示される。
【００８３】
その他の構成は、第１の実施の形態と同様である。
【００８４】
以上のように構成した本実施の形態においても第１の実施の形態と同様の効果をえることができる。
【００８５】
また、試薬情報設定画面３０１で試薬セット２０１を判別することができ、ユーザーの労力を低減可能な自動分析装置を実現することができる。
【００８６】
なお、本発明は上記した各実施の形態に限定されるものではなく、様々な変形例が含まれる。例えば、上記した実施の形態は本願発明を分かりやすく説明するために詳細に説明したものであり、必ずしも説明した全ての構成を備えるものに限定されるものではない。
【符号の説明】
【００８７】
１０１・・・自動分析装置、１０２・・・ラック搬送ライン、１０３・・・サンプル容器、１０４・・・サンプル容器ラック、１０５・・・試薬コンテナ、１０５ａ，１０５ｂ，１０５ｃ・・・試薬容器、１０６・・・試薬ディスク、１０７・・・試薬ローダ、１０７ａ・・・スロット、１０７ｂ・・・読取装置、１０８・・・試薬ディスクカバー、１０８ａ・・・試薬ディスクカバー開口部、１０９・・・試薬分注ノズル、１１０・・・反応容器、１１１・・・インキュベータディスク、１１２・・・サンプル分注ノズル、１１２ａ・・・サンプル分注チップ、１１３・・・搬送機構、１１５・・・廃棄孔、１１６・・・反応容器攪拌機構、１１７・・・チップ装着位置、１１８，１１９・・・反応容器・サンプル分注チップ収納部、１２０・・・検出ユニット、１２１・・・ノズル、１２２・・・制御部、１２３・・・表示部、１２４・・・入力部、１２５・・・記憶部、１２６・・・個体識別標識、２０１・・・試薬セット、２０１ａ，２０１ｂ，２０１ｃ・・・試薬コンテナ、２０２・・・試薬セット、２０２ａ・・・試薬コンテナ、３０１・・・試薬情報設定画面、３０１Ａ・・・試薬情報設定画面、３０２・・・スクロールバー、３０３・・・ボタン、３０４・・・試薬セットボタン、３０５・・・モジュール選択部、３０６・・・試薬情報表示部、３０７・・・試薬準備ボタン、４０１・・・試薬セット情報画面、４０１Ａ，４０１Ｂ，４０１Ｃ・・・試薬セット情報画面、４０２ａ，４０２ｂ，４０２ｃ・・・試薬セット情報一覧表、４０３・・・装置搭載有無、４０４・・・試薬名称、４０５ａ・・・装置搭載有無切替ボタン、４０５ｂ・・・装置搭載有無切替ボタン、４０６・・・識別情報、４０７・・・残量、４０８・・・有効期限、４０９ａ，４０９ｂ・・・試薬状況、４１０・・・有効期限、４１１・・・ポジション、４１２・・・ボタン、４１３・・・在庫ボタン、６０１・・・確認画面、６０２・・・ボタン、６０３・・・Ｃａｎｃｅｌボタン、７０１・・・確認画面、７０２・・・ボタン、８０１・・・保冷庫、８０２・・・保冷庫記憶部、９０１・・・在庫画面、９０２・・・試薬セット名称、１１０１・・・試薬ポジション、１１０２・・・表示線
【図１】
2017033576.tif 000003
【図２】
2017033576.tif 000004
【図３】
2017033576.tif 000005
【図４】
2017033576.tif 000006
【図５】
2017033576.tif 000007
【図６】
2017033576.tif 000008
【図７】
2017033576.tif 000009
【図８】
2017033576.tif 000010
【図９】
2017033576.tif 000011
【図１０】
2017033576.tif 000012
【図１１】
2017033576.tif 000013
【図１２】
2017033576.tif 000014
【図１３】
2017033576.tif 000015
【図１４】
2017033576.tif 000016
【図１５】
2017033576.tif 000017
【図１６】
2017033576.tif 000018
【手続補正書】
【提出日】平成28年12月16日(2016.12.16)
【手続補正１】
【補正対象書類名】特許請求の範囲
【補正対象項目名】全文
【補正方法】変更
【補正の内容】
【特許請求の範囲】
【請求項１】
検体の分析に用いる試薬を収容した複数の試薬容器が搭載される試薬ディスクと、
前記検体と試薬とを反応させる複数の反応容器が配置されたインキュベータと、
前記インキュベータに配置された前記反応容器に前記検体を分注するサンプル分注機構と、
前記試薬ディスクに搭載された前記試薬容器に収容された試薬を前記インキュベータに搭載された前記反応容器に分注する試薬分注機構と、
前記試薬ディスクへの外部からの試薬の搭載および外部への試薬の搬出を行う試薬ローダと、
前記試薬ディスクに配置された複数の試薬容器の試薬と、その試薬を用いる分析項目とを一対で表示する表示部と、
オペレータからの操作の入力に用いられる操作装置により前記表示部で選択され、前記試薬ローダによる取り出しを指示された試薬と、その試薬の分析項目と共に実行すべき他の分析項目に使用される試薬とを前記試薬ローダにより同時に試薬ディスクの外部に搬出する制御部と
を備えたことを特徴とする自動分析装置。
【請求項２】
請求項１記載の自動分析装置において、
前記制御部は、オペレータからの操作の入力に用いられる操作装置により前記表示部で選択された試薬と、その試薬の分析項目と共に実行すべき他の分析項目に使用される試薬とを、他の試薬と分析項目の対と識別して表示させることを特徴とする自動分析装置。
【請求項３】
請求項２記載の自動分析装置において、
前記表示部は、前記試薬ディスクの試薬容器位置番号と、前記試薬容器位置番号に位置する試薬容器の試薬を特定するための識別番号と、前記試薬容器に収容された試薬の残量および有効期限と、試薬容器内の試薬が使用される分析項目名と、を一対で表示することを特徴とする自動分析装置。
【請求項４】
請求項２記載の自動分析装置において、
前記表示部は、前記試薬の名称、試薬識別情報、残量、有効期限、キャリブレーション結果、キャリブレーションの有効期限、試薬容器位置番号、及び装置搭載有無情報を一対で表示することを特徴とする自動分析装置。
【請求項５】
請求項２記載の自動分析装置において、
前記試薬の識別情報を蓄積した試薬識別情報ファイルを記憶する記憶部を備えたことを特徴とする自動分析装置。
【請求項６】
請求項２に記載の自動分析装置において、
表示部は、分析に使用するために登録された全ての試薬の情報を表示する状態と、前記試薬ディスクに配列されている試薬のみの情報を表示する状態とを切り換える切換ボタンを表示することを特徴とする自動分析装置。
【請求項７】
請求項２記載の自動分析装置において、
前記表示部は、前記試薬ディスクに搭載されている試薬と同じ試薬識別番号を持つ試薬が前記試薬ローダ外にいくつ収納されているかを表示部に表示させる表示ボタンを表示することを特徴とする自動分析装置。
【請求項８】
検体の分析に用いる試薬を収容した複数の試薬容器が搭載される試薬ディスクと、
前記検体と試薬とを反応させる複数の反応容器が配置されたインキュベータと、
前記インキュベータに配置された前記反応容器に前記検体を分注するサンプル分注機構と、
前記試薬ディスクに搭載された前記試薬容器に収容された試薬を前記インキュベータに搭載された前記反応容器に分注する試薬分注機構と、
前記試薬ディスクへの外部からの試薬の搭載および外部への試薬の搬出を行う試薬ローダと、
前記試薬ディスクに配置された複数の試薬容器の試薬と、その試薬を用いる分析項目とを一対で表示する表示部と、
オペレータからの操作の入力に用いられる操作装置により前記表示部で選択された試薬と、その試薬の分析項目と共に実行すべき他の分析項目に使用される試薬とを、他の試薬及び分析項目と識別して表示させる制御部と
を備えたことを特徴とする自動分析装置。
【国際調査報告】
2017033576.tif 000019
2017033576.tif 000020
2017033576.tif 000021
2017033576.tif 000022